(57)【要約】【課題】プロペラファンの回転移動を抑制することによって、プロペラファンを有効に保護することを可能にする梱包材およびブランクシートを提供する。【解決手段】本発明は、外箱１０と、前記外箱１０の内部に収容され、プロペラファン３１、３２を受容する緩衝パッド２０と、を備える梱包材１であって、前記外箱１０の天面側の内フラップ２３１に設けられた天面側起立片Ｔ１１と、前記緩衝パッド２０の底面部２１に設けられ、前記天面側起立片Ｔ１１と協働して、前記プロペラファン３１、３２の回転移動を妨げるように配置構成された底面側起立片Ｔ２１、Ｔ２２、Ｔ２３と、を備える。【選択図】図２
2020033088.tif 000002
【特許請求の範囲】
【請求項１】
外箱と、前記外箱の内部に収容され、プロペラファンを受容する緩衝パッドと、を備える梱包材であって、
前記外箱の天面側の内フラップに設けられた天面側起立片と、
前記緩衝パッドの底面部に設けられ、前記天面側起立片と協働して、前記プロペラファンの回転移動を妨げるように配置構成された底面側起立片と
を備えることを特徴とする梱包材。
【請求項２】
前記梱包材は、略直方体形状を呈しており、
前記外箱は、天面側および底面側にそれぞれ一対の内フラップおよび一対の外フラップを有し、
前記緩衝パッドは、矩形の底面部と、前記底面部の４つの縁辺からそれぞれ立ち上がる第１側面部、第２側面部、第３側面部、および第４側面部と、を有し、
前記天面側起立片は、前記外箱の天面側の前記一対の内フラップの一方に設けられ、
前記底面側起立片は、第１底面側起立片、第２底面側起立片、および第３底面側起立片を含んで構成され、
前記第１底面側起立片は、前記底面部のうち前記第１側面部側に配置され、
前記第２底面側起立片は、前記底面部のうち前記第２側面部側に配置され、
前記第３底面側起立片は、前記底面部のうち前記第３側面部側に配置されることを特徴とする請求項１に記載の梱包材。
【請求項３】
前記第１底面側起立片と、前記天面側起立片と、を接触させるように、前記プロペラファンを受容した前記緩衝パッドが前記外箱に収容されることを特徴とする請求項２に記載の梱包材。
【請求項４】
請求項２に記載の梱包材の外箱のブランクシートであって、
相互に平行な第１折り曲げ線および第２折り曲げ線と、前記第１折り曲げ線と直交する相互に平行な第３折り曲げ線および第４折り曲げ線と、を有する矩形の第１面部と、
前記第１折り曲げ線と直交する相互に平行な第５折り曲げ線および第６折り曲げ線を有し、前記第１面部に第１折り曲げ線を介して接続される第２面部と、
前記第２折り曲げ線と平行な第７折り曲げ線と、前記第２折り曲げ線と直交する相互に平行な第８折り曲げ線および第９折り曲げ線と、を有し、前記第１面部に第２折り曲げ線を介して接続される矩形の第３面部と、
前記第７折り曲げ線と直交する相互に平行な第１０折り曲げ線および第１１折り曲げ線を有し、前記第３面部に第７折り曲げ線を介して接続される第４面部と、
前記第２面部に前記第５折り曲げ線を介して接続される第１内フラップと、
前記第２面部に前記第６折り曲げ線を介して接続される第２内フラップと、
前記第３面部に前記第８折り曲げ線を介して接続される第３内フラップと、
前記第３面部に前記第９折り曲げ線を介して接続される第４内フラップと、
前記第１面部に前記第３折り曲げ線を介して接続される第１外フラップと、
前記第１面部に前記第４折り曲げ線を介して接続される第２外フラップと、
前記第４面部に前記第１０折り曲げ線を介して接続される第３外フラップと、
前記第４面部に前記第１１折り曲げ線を介して接続される第４外フラップと、を備え、
前記天面側起立片は、前記第３内フラップに高さ方向において延びる第１切れ込み線と、前記第１切れ込み線の端部から前記第３内フラップの一方の側縁に向けて延びる第１７折り曲げ線と、によって形成されることを特徴とする外箱のブランクシート。
【請求項５】
請求項２に記載の梱包材の緩衝パッドのブランクシートであって、
相互に平行な第３１折り曲げ線および第３３折り曲げ線と、前記第３１折り曲げ線と直交する相互に平行な第３２折り曲げ線および第３４折り曲げ線と、を有する略矩形の第２１面部と、
前記第２１面部に第３１折り曲げ線を介して接続される第２２面部と、
前記第２１面部に第３２折り曲げ線を介して接続される第２３面部と、
前記第２１面部に第３３折り曲げ線を介して接続される第２４面部と、
前記第２１面部に第３４折り曲げ線を介して接続される第２５面部と、
前記第１底面側起立片は、前記第２１面部の中央部から前記第２２面部の基端へ向けて延びる第２１折り曲げ線と、前記第２１折り曲げ線の端部から前記第３１折り曲げ線と平行に延びる第１２切り込み線と、前記第１２切り込み線の端部から前記第２２面部の基端へ向けて延びる第１１切り込み線と、によって形成され、
前記第２底面側起立片は、前記第２１面部の中央部から前記第２３面部の基端へ向けて延びる第２２折り曲げ線と、前記第２２折り曲げ線の端部から前記第３２折り曲げ線と平行に延びる第２２切り込み線と、前記第２２切り込み線の端部から前記第２３面部の基端へ向けて延びる第２１切り込み線と、によって形成され、
前記第３底面側起立片は、前記第２１面部の中央部から前記第２４面部の基端へ向けて延びる第２３折り曲げ線と、前記第２３折り曲げ線の端部から前記第３３折り曲げ線と平行に延びる第３２切り込み線と、前記第３２切り込み線の端部から前記第２４面部の基端へ向けて延びる第３１切り込み線と、によって形成されることを特徴とする緩衝パッドのブランクシート。
【発明の詳細な説明】
【技術分野】
【０００１】
本発明は、プロペラファンを梱包するための梱包材およびブランクシートに関する。
【背景技術】
【０００２】
従来、業務用エアコン、室外機等に設けられるプロペラファンの運搬過程において、汚れたり傷ついたりしないように、プロペラファンを梱包するための梱包材が使用されている。この梱包は、外箱にプロペラファンを入れる際に、外箱とファンとの隙間に緩衝材を多数挿入することによって行われることがあるが、この作業は手間となる場合が多い。
【０００３】
そこで例えば、特許文献１には、プロペラファンと外箱との間に１枚の段ボールで構成された緩衝材を挟むことによって、プロペラファンを運搬するときに、プロペラファンに与える衝撃を吸収させ、且つ梱包に掛かる手間の軽減を図った梱包材が記載されている。
【先行技術文献】
【特許文献】
【０００４】
【特許文献１】特開２０１６−００３０１５号公報
【発明の概要】
【発明が解決しようとする課題】
【０００５】
しかしながら、特許文献１に記載の梱包材では、プロペラファンを梱包して運搬した場合に、外箱内においてプロペラファンが回転移動して、プロペラファンが緩衝材または外箱の内側壁によって擦れて傷が付くおそれがあった。
【０００６】
本発明の目的は、プロペラファンを梱包するときに、プロペラファンの回転移動を抑制することによって、プロペラファンを有効に保護することを可能にする梱包材およびブランクシートを提供することにある。
【課題を解決するための手段】
【０００７】
本発明による包装箱は、外箱と、前記外箱の内部に収容され、プロペラファンを受容する緩衝パッドと、を備える梱包材であって、前記外箱の天面側の内フラップに設けられた天面側起立片と、前記緩衝パッドの底面部に設けられ、前記天面側起立片と協働して、前記プロペラファンの回転移動を妨げるように配置構成された底面側起立片と、を備えることを特徴とするものである。
【発明の効果】
【０００８】
本発明によれば、外箱の天面側の内フラップに形成された天面側起立片と、緩衝パッドの底面に形成された底面側起立片とが、プロペラファンの回転移動を妨げるように配置構成されているので、外箱内においてプロペラファンが固定され、プロペラファンを有効に保護することが可能となる。
【図面の簡単な説明】
【０００９】
【図１】本発明の一実施形態に係る、４枚の羽根を有するプロペラファンを梱包する梱包材の斜視図である。
【図２】本発明の一実施形態に係る、４枚の羽根を有するプロペラファンを梱包する様子を説明するための斜視図であり、（ａ）は緩衝パッドおよびプロペラファンを外箱に収容する前を表すものであり、（ｂ）は緩衝パッドおよびプロペラファンを外箱に収容した後を表すものであり、（ｃ）は外箱の天面側起立片を緩衝パッドの第３底面側起立片に接するように配置した様子を示すものであり、（ｄ）は外箱の天面側の一対の外フラップを閉じた様子を示すものである。
【図３】本発明の一実施形態に係る外箱を展開したブランクシートの平面図である。
【図４】本発明の一実施形態に係る外箱に収容される緩衝パッドを展開したブランクシートの平面図である。
【図５】本発明の一実施形態に係る、３枚の羽根を有するプロペラファンを梱包する梱包材の斜視図である。
【図６】本発明の一実施形態に係る、３枚の羽根を有するプロペラファンを梱包する様子を説明するための斜視図であり、（ａ）は緩衝パッドおよびプロペラファンを外箱に収容する前を表すものであり、（ｂ）は緩衝パッドおよびプロペラファンを外箱に収容した後を表すものであり、（ｃ）は外箱の天面側起立片を緩衝パッドの第１底面側起立片に接するように配置した様子を示すものであり、（ｄ）は外箱の天面側の一対の外フラップを閉じた様子を示すものである。
【図７】本発明の一実施形態に係る、プロペラファンが天面側起立片および底面側起立片によって固定されている様子を説明するための斜視図であり、（ａ）は４枚の羽根を有するプロペラファンの場合、（ｂ）は３枚の羽根を有するプロペラファンの場合を示す。
【発明を実施するための形態】
【００１０】
以下、図面を参照しながら本発明を実施するための形態を詳細に説明する。但し、本発明は本形態の態様に限定されるものではない。
【００１１】
なお、本明細書および特許請求の範囲の記載において、「高さ方向」とは外箱の内フラップの表面に直交する方向、「幅方向」とは外箱の内フラップが折れ曲がるための縁辺と平行な方向、「長さ方向」とは外箱の外フラップが折れ曲がるための縁辺と平行な方向、をそれぞれ指すものとして参照される。「高さ方向」、「幅方向」、および「長さ方向」はそれぞれ直交するものとする。
【００１２】
また、本明細書および特許請求の範囲の記載において、「矩形」とは、長方形のほか正方形を含むものであり、「略直方体」とは、直方体のほか立方体も含むものである。
【００１３】
＜構造＞
図１に本発明の一実施形態に係る、４枚の羽根を有するプロペラファン３１を梱包する梱包材１の斜視図を示し、図２に本実施形態に係る、４枚の羽根を有するプロペラファン３１を梱包する様子を説明するための斜視図を示す。また、図３に本実施形態に係る外箱１０を展開したブランクシート１０Ｂの平面図を示し、図４に本実施形態に係る外箱１０に収容される緩衝パッド２０を展開したブランクシート２０Ｂの平面図を示す。
【００１４】
本実施形態に係る梱包材１は、略直方体形状を呈しており、外箱１０と、外箱１０の内部に収容され、プロペラファン３１（後述の図５、図６、および図７（ｂ）ではプロペラファン３２）を受容する緩衝パッド２０と、を備える。
【００１５】
本実施形態に係る外箱１０は、略直方体の形状を呈するものである（図２（ｄ）を参照）。具体的には、外箱１０は、図１および図３に示すように、第１面部１１、第２面部１２、第３面部１３、および第４面部１４の４つの矩形の面部、第１内フラップ２２１、第２内フラップ２２２、第３内フラップ２３１、および第４内フラップ２３２の４つの内フラップ、および第１外フラップ３１１、第２外フラップ３１２、第３外フラップ３４１、および第４外フラップ３４２の４つの外フラップ、を備えて構成される。外箱１０の天面側には、一対の第１内フラップ２２１、第３内フラップ２３１が位置し、外箱１０の底面側には、一対の第２内フラップ２２２、第４内フラップ２３２が位置する。また、外箱１０の天面側には、一対の第１外フラップ３１１、第３外フラップ３４１が位置し、外箱１０の底面側には、一対の第２外フラップ３１２、第４外フラップ３４２が位置する。
【００１６】
第１面部１１（第１長さ面部）は、相互に平行な第１縁辺Ｌ１および第２縁辺Ｌ２と、第１縁辺Ｌ１と直交する相互に平行な第３縁辺Ｌ３および第４縁辺Ｌ４と、を有する。
【００１７】
第２面部１２（第１幅面部）は、第１縁辺Ｌ１と直交する相互に平行な第５縁辺Ｌ５および第６縁辺Ｌ６を有し、第１縁辺Ｌ１から延びて直角に折れ曲がっている。
【００１８】
第３面部１３（第２幅面部）は、第２縁辺Ｌ２と平行な第７縁辺Ｌ７と、第２縁辺Ｌ２と直交する相互に平行な第８縁辺Ｌ８および第９縁辺Ｌ９と、を有しており、第２縁辺Ｌ２から延び、直角に折れ曲がって第２面部１２と対向している。
【００１９】
第４面部１４（第２長さ面部）は、第７縁辺Ｌ７と直交する相互に平行な第１０縁辺Ｌ１０および第１１縁辺Ｌ１１を有し、第７縁辺Ｌ７から延び、直角に折れ曲がって第１面部１１と対向している。
【００２０】
第１内フラップ２２１は、第２面部１２の第５縁辺Ｌ５から延びて直角に折れ曲がり、第２内フラップ２２２は、第２面部１２の第６縁辺Ｌ６から延び、直角に折れ曲がって第１内フラップ２２１と対向している。また、第３内フラップ２３１は、第３面部１３の第８縁辺Ｌ８から延びて直角に折れ曲がり、第４内フラップ２３２は、第３面部１３の第９縁辺Ｌ９から延び、直角に折れ曲がって第３内フラップ２３１と対向している。
【００２１】
第１外フラップ３１１は、第１面部１１の第３縁辺Ｌ３から延びて直角に折れ曲がっており、第２外フラップ３１２は、第１面部１１の第４縁辺Ｌ４から延び、直角に折れ曲がって第１外フラップ３１１と対向している。また、第３外フラップ３４１は、第４面部１４の第１０縁辺Ｌ１０から延びて直角に折れ曲がっており、第４外フラップ３４２は、第４面部１４の第１１縁辺Ｌ１１から延び、直角に折れ曲がって第３外フラップ３４１と対向している。
【００２２】
本実施形態では、図１から図３に示すように、外箱１０の天面側の第３内フラップ２３１に天面側起立片Ｔ１１が形成されている。天面側起立片Ｔ１１は、プロペラファンの梱包時に、外箱１０の内側に向かって起立して、後述する底面側起立片に接するように構成されたものであり、プロペラファンの回転移動を抑制するものである。
【００２３】
本実施形態に係る外箱１０の内側にセットされる緩衝パッド２０は、外箱１０にプロペラファンが収容される際の緩衝材として機能するものである。
【００２４】
緩衝パッド２０は、略矩形の底面部２１と、底面部２１の４つの縁辺Ｌ３１、Ｌ３２、Ｌ３３、およびＬ３４からそれぞれ立ち上がる第１側面部２２、第２側面部２３、第３側面部２４、および第４側面部２５の４つの側面部と、を備えて構成される。
【００２５】
底面部２１は、相互に平行な第３１縁辺Ｌ３１および第３３縁辺Ｌ３３と、第３１縁辺Ｌ３１と直交する相互に平行な第３２縁辺Ｌ３２および第３４縁辺Ｌ３４と、を有する。
【００２６】
第１側面部２２は、第３１縁辺Ｌ３１から延びて直角に折れ曲がっており、第２側面部２３は、第２縁辺Ｌ３２から延びて直角に折れ曲がっている。
【００２７】
第３側面部２４は、第３３縁辺Ｌ３３から延び、直角に折れ曲がって第１側面部２２と対向しており、第４側面部２５は、第３４縁辺Ｌ３４から延び、直角に折れ曲がって第２側面部２３と対向している。
【００２８】
本発明では、緩衝パッド２０の底面部２１に底面側起立片が形成されている。本実施形態では、当該底面側起立片は、図１、図２、および図４に示すように、第１底面側起立片Ｔ２１、第２底面側起立片Ｔ２２、および第３底面側起立片Ｔ２３を含んで構成される。図１および図４に示すように、第１底面側起立片Ｔ２１は底面部２１のうち第１側面部２２側に配置され、第２底面側起立片Ｔ２２は底面部２１のうち第２側面部２３側に配置され、第３底面側起立片Ｔ２３は、底面部２１のうち第３側面部２４側に配置される。第１底面側起立片Ｔ２１、第２底面側起立片Ｔ２２、および第３底面側起立片Ｔ２３は、プロペラファン３１（または３２）の梱包時に、天面側起立片Ｔ１１と協働して、外箱１０の内側に向かって起立して、梱包されたプロペラファンの羽根や前述した天面側起立片Ｔ１１に接するように構成されたものであり、プロペラファン３１（または３２）の回転軸に対するプロペラファン３１（または３２）の回転移動を妨げるように配置構成される。
【００２９】
図３に移り、本実施形態における外箱１０のブランクシート１０Ｂにおいて、第２面部１２は、第１面部１１に第１縁辺（第１折り曲げ線）Ｌ１を介して接続されており、第３面部１３は、第１面部１１に第２縁辺（第２折り曲げ線）Ｌ２を介して接続されており、第４面部１４は、第３面部１３に第７縁辺（第７折り曲げ線）Ｌ７を介して接続されている。
【００３０】
第１内フラップ２２１は、第２面部１２に第５縁辺（第５折り曲げ線）Ｌ５を介して接続されており、第２内フラップ２２２は、第２面部１２に第６縁辺（第６折り曲げ線）Ｌ６を介して接続されている。第３内フラップ２３１は、第３面部１３に第８縁辺（第８折り曲げ線）Ｌ８を介して接続されており、第４内フラップ２３２は、第３面部１３に第９縁辺（第９折り曲げ線）Ｌ９を介して接続されている。
【００３１】
第１外フラップ３１１は、第１面部１１に第３縁辺（第３折り曲げ線）Ｌ３を介して接続されており、第２外フラップ３１２は、第１面部１１に第４縁辺（第４折り曲げ線）Ｌ４を介して接続されている。また、第３外フラップ３４１は、第４面部１４に第１０縁辺（第１０折り曲げ線）Ｌ１０を介して接続されており、第４外フラップ３４２は、第４面部１４に第１１縁辺（第１１折り曲げ線）Ｌ１１を介して接続されている。
【００３２】
本実施形態に係るブランクシート１０Ｂは、第２面部１２と第４面部１４とを繋ぐための継ぎ代１５を備える。継ぎ代１５は、第１２縁辺（第１２折り曲げ線）Ｌ１２を介して第２面部１２と接続されている。尚、本発明では、継ぎ代１５は、第２面部１２ではなく、第４面部１４から接続されても良い。
【００３３】
本実施形態におけるブランクシート１０Ｂは、第３折り曲げ線Ｌ３から第６折り曲げ線Ｌ６、および第８折り曲げ線Ｌ８から第１１折り曲げ線Ｌ１１が段ボールの横罫線（いわゆる、スコア）となり、第１折り曲げ線Ｌ１、第２折り曲げ線Ｌ２、第７折り曲げ線Ｌ７、および第１２折り曲げ線Ｌ１２が段ボールの縦罫線（いわゆる、クリーズ）となるように設定されている。尚、罫線の形成方向は、これに限られず、プロペラファンを有効に保護するという本発明の目的を達成しうるものであれば、いずれの方向に形成されても良い。
【００３４】
第１内フラップ２２１は、第１部分２２１１、第２部分２２１２、および第３部分２２１３の３部分から構成されている。
【００３５】
第１内フラップ２２１において、第１部分２２１１は、第２部分２２１２に第１３縁辺（第１３折り曲げ線）Ｌ１３を介して接続されており、第３部分２２１３は、第２部分２２１２に第１４縁辺（第１４折り曲げ線）Ｌ１４を介して接続されている。第２部分２２１２は、第１３折り曲げ線L１３を介して第１部分２２１１に対して直角に折り返され、第３部分２２１３は、第１４折り曲げ線L１４を介して第２部分２２１２に対して直角に折り返され第１部分２２１１と対向するように構成されている。折り返された第２部分２２１２および第３部分２２１３は、外箱１０に収容された状態で、後述する緩衝パッド２０の第１側面部２２または第３側面部２４の上部端縁に形成されたＬ字切欠きおよび逆Ｌ字切欠きに嵌め込まれ固定されるように構成されている。
【００３６】
第３内フラップ２３１は、第１部分２３１１、第２部分２３１２、第３部分２３１３、および天面側起立片Ｔ１１の４部分から構成されている。
【００３７】
第３内フラップ２３１において、第１部分２３１１は、第２部分２３１２に第１５縁辺（第１５折り曲げ線）Ｌ１５を介して接続されており、第３部分２３１３は、第２部分２３１２に第１６縁辺（第１６折り曲げ線）Ｌ１６を介して接続されている。第２部分２３１２は、第１５折り曲げ線L１５を介して第１部分２３１１に対して直角に折り返され、第３部分２３１３は、第１６折り曲げ線L１６を介して第２部分２３１２に対して直角に折り返され第１部分２３１１に対向するように構成されている。折り返された第２部分２３１２および第３部分２３１３は、外箱１０に収容された状態で、後述する緩衝パッド２０の第１側面部２２または第３側面部２４の上部端縁に形成されたＬ字切欠きおよび逆Ｌ字切欠きに嵌め込まれ固定されるように構成されている。
【００３８】
第１３折り曲げ線Ｌ１３から第１６折り曲げ線Ｌ１６は、例えばリード罫で形成される。
【００３９】
天面側起立片Ｔ１１は、第３内フラップ２３１に高さ方向において延びる第１切れ込み線Ｃ１と、第１切れ込み線Ｃ１の端部から第３内フラップ２３１の一方の側縁に向けて延びる第１７縁辺（第１７折り曲げ線）Ｌ１７と、によって形成される。図３に示すように、第１７折り曲げ線Ｌ１７は、第３内フラップ２３１の側縁から第１５折り曲げ線Ｌ１５の一方の端部まで延びており、第１切込み線Ｃ１は、第１５折り曲げ線Ｌ１５と第１７折り曲げ線Ｌ１７との交点から第３内フラップ２３１の下側端縁まで高さ方向に延びている。
【００４０】
図４に移り、本実施形態における緩衝パッド２０のブランクシート２０Ｂにおいて、第１側面部（第２２面部）２２は、底面部（第２１面部）２１に第３１縁辺（第３１折り曲げ線）Ｌ３１を介して接続されており、第２側面部（第２３面部）２３は、第２１面部２１に第３２縁辺（第３２折り曲げ線）Ｌ３２を介して接続されており、第３側面部（第２４面部）２４は、第２１面部２１に第３３縁辺（第３３折り曲げ線）Ｌ３３を介して接続されており、第４側面部（第２５面部）２５は、第２１面部２１に第３４縁辺（第３４折り曲げ線）Ｌ３４を介して接続されている。
【００４１】
第２２面部２２から第２５面部２５と、第２１面部２１との接続部分には、第１スリットＳ１から第４スリットＳ４がそれぞれ形成されている。これは、第２２面部２２から第２５面部２５が、第２１面部２１から立ち上がりやすくしたものであり、これにより、緩衝パッド２０を外箱１０の内部に迅速にセットすることが可能となっている。
【００４２】
また、第２２面部２２から第２５面部２５の周縁には、縁取りが施されており、収容されるプロペラファン３１（または３２）に出来るだけ傷を付けないようになっている。
【００４３】
第２１面部２１には、上述したように、第１底面側起立片Ｔ２１、第２底面側起立片Ｔ２２、および第３底面側起立片Ｔ２３が形成されている。
【００４４】
第１底面側起立片Ｔ２１は、第２１面部２１に、第２１縁辺（第２１折り曲げ線）Ｌ２１と、第１１切込み線Ｃ１１と、第１２切込み線Ｃ１２と、第１スリットＳ１と、を形成することで、設けられる。具体的には、図４に示すように、第１底面側起立片Ｔ２１は、第２１面部２１の中央部から第２２面部２２の基端へ向けて延びる第２１折り曲げ線Ｌ２１と、第２１折り曲げ線Ｌ２１の端部から第３１折り曲げ線Ｌ３１と平行に延びる第１２切り込み線Ｃ１２と、第１２切り込み線Ｃ１２の端部から第２２面部２２の基端へ傾斜して延びる第１１切り込み線Ｃ１１と、によって形成される。
【００４５】
第２底面側起立片Ｔ２２は、第２１面部２１に、第２２縁辺（第２２折り曲げ線）Ｌ２２と、第４切込み線Ｃ２１と、第５切込み線Ｃ２２と、第２スリットＳ２と、を形成することで、設けられる。具体的には、図４に示すように、第２底面側起立片Ｔ２２は、第２１面部２１の中央部から第２３面部２３の基端へ傾斜して延びる第２２折り曲げ線Ｌ２２と、第２２折り曲げ線Ｌ２２の端部から第３２折り曲げ線Ｌ３２と平行に延びる第２２切り込み線Ｃ２２と、第２２切り込み線Ｃ２２の端部から第２３面部２３の基端へ向けて延びる第２１切り込み線Ｃ２１と、によって形成される。
【００４６】
第３底面側起立片Ｔ２３は、第２１面部２１に、第２３縁辺（第２３折り曲げ線）Ｌ２３と、第６切込み線Ｃ３１と、第７切込み線Ｃ３２と、第３スリットＳ３と、を形成することで、設けられる。具体的には、図４に示すように、第３底面側起立片Ｔ２３は、第２１面部２１の中央部から第２４面部２４の基端へ向けて延びる第２３折り曲げ線Ｌ２３と、第２３折り曲げ線Ｌ２３の端部から第３３折り曲げ線Ｌ３３と平行に延びる第３２切り込み線Ｃ３２と、第３２切り込み線Ｃ３２の端部から第２４面部２４の基端へ傾斜して延びる第３１切り込み線Ｃ３１と、によって形成される。
【００４７】
第２１面部２１のうち第１１切込み線Ｃ１１の中央部分には、第１切欠き部分N１が形成されており、第２１面部２１のうち第２１切込み線Ｃ２１の中央部分には、第２切欠き部分N２が形成されており、第２１面部２１のうち第３１切込み線Ｃ３１の中央部分には、第３切欠き部分N３が形成されている。これら第１切欠き部分N１から第３切欠き部分N３により、当該第１切欠き部分N１から第３切欠き部分N３に指を引っ掛けやすくなり、第１底面側起立片Ｔ２１から第３底面側起立片Ｔ２３を第２１面部２１から立ち上げやすくなっている。
【００４８】
＜４枚の羽根を有するプロペラファンにおける梱包手順＞  
図２は、本発明の一実施形態に係る、４枚の羽根を有するプロペラファン３１を梱包する様子を説明するための斜視図であり、図２（ａ）は緩衝パッド２０およびプロペラファン３１を外箱１０に収容する前を表すものであり、図２（ｂ）は緩衝パッド２０およびプロペラファン３１を外箱１０に収容した後を表すものであり、図２（ｃ）は外箱１０の天面側起立片Ｔ１１を緩衝パッド２０の第１底面側起立片Ｔ２１に接するように配置した様子を示すものであり、図２（ｄ）は外箱１０の天面側の一対の外フラップ３１１、３４１を閉じた様子を示すものである。また、図７（ａ）は、本実施形態に係る、プロペラファン３１が天面側起立片Ｔ１１および底面側起立片Ｔ２１およびＴ２３によって固定されている様子を説明するための斜視図である。
【００４９】
図２（ａ）に示すように、４枚の羽根を有するプロペラファン３１を、第１側面部２２から第４側面部２５を底面部２１の４つの縁辺から立ち上げた状態の緩衝パッド２０に収容し、その収容状態の緩衝パッド２０を外箱１０の内部に収容する（図２（ｂ）を参照）。
【００５０】
次に、図２（ｃ）に示すように、外箱１０の第３内フラップ２３１の第２部分２３１２および第３部分２３１３を外箱１０の内側に折り返し、図７（ａ）に示すように、天面側起立片Ｔ１１をプロペラファン３１の羽根と第１底面側起立片Ｔ２１とで挟むように配置する。
【００５１】
そして、第１内フラップ２２１の第２部分２２１２および第３部分２２１３を外箱１０の内側に折り返し、第１外フラップ３１１および第３外フラップ３４１を閉じると、図２（ｄ）に示すような状態になる。図７（ａ）に示すように、第１底面側起立片Ｔ２１と、天面側起立片Ｔ１１と、を接触させるように、プロペラファン３１を受容した緩衝パッド２０が外箱１０に収容されている。この構成により、図７（ａ）に示すように、プロペラファン３１の羽根３１０４が反時計回りに回転移動すること、およびプロペラファン３１の羽根３１０３が時計回りに回転移動することが、第１底面側起立片Ｔ２１と天面側起立片Ｔ１１とによって妨げられることになる。また、図７（ａ）に示すように、プロペラファン３１の羽根３１０２が反時計回りに回転移動することが、第３底面側起立片Ｔ２３によって妨げられることになる。よって、プロペラファン３１が位置固定されることになり、梱包されたプロペラファン３１の運搬時に、プロペラファン３１が外箱１０内を上下左右に移動（または回転）することが抑制される。
【００５２】
＜３枚の羽根を有するプロペラファンにおける梱包手順＞  
次に、３枚の羽根を有するプロペラファン３２の場合を説明する。本実施形態では、緩衝パッド２０から起立させる底面側起立片を変更することだけで、異なる数の羽根を有するプロペラファンを収容しやすくすることが可能となっている。
【００５３】
図５に、本発明の一実施形態に係る、３枚の羽根を有するプロペラファン３２を梱包する梱包材の斜視図を示す。また、図６は、本発明の一実施形態に係る、３枚の羽根を有するプロペラファン３２を梱包する様子を説明するための斜視図であり、図６（ａ）は緩衝パッド２０およびプロペラファン３２を外箱１０に収容する前を表すものであり、図６（ｂ）は緩衝パッド２０およびプロペラファン３２を外箱１０に収容した後を表すものであり、図６（ｃ）は外箱１０の天面側起立片Ｔ１１を緩衝パッド２０の第１底面側起立片Ｔ２１に接するように配置した様子を示すものであり、図６（ｄ）は外箱１０の天面側の一対の外フラップ３１１、３４１を閉じた様子を示すものである。また、図７（ｂ）は、本実施形態に係る、プロペラファン３２が天面側起立片Ｔ１１および底面側起立片Ｔ２１、Ｔ２２、およびＴ２３によって固定されている様子を説明するための斜視図である。
【００５４】
図６（ａ）に示すように、３枚の羽根を有するプロペラファン３２を、第１側面部２２から第４側面部２５を底面部２１から立ち上げた状態の緩衝パッド２０に収容し、その収容状態の緩衝パッド２０を外箱１０の内部に収容する（図６（ｂ）を参照）。
【００５５】
次に、図６（ｃ）に示すように、外箱１０の第３内フラップ２３１の第２部分２３１２および第３部分２３１３を外箱１０の内側に折り返し、図７（ｂ）に示すように、天面側起立片Ｔ１１をプロペラファン３２の羽根と第１底面側起立片Ｔ２１とで挟むように配置する。
【００５６】
そして、第１内フラップ２２１の第２部分２２１２および第３部分２２１３を外箱１０の内側に折り返し、第１外フラップ３１１および第３外フラップ３４１を閉じると、図６（ｄ）に示すような状態になる。図７（ｂ）に示すように、第１底面側起立片Ｔ２１と、天面側起立片Ｔ１１と、を接触させるように、プロペラファン３２を受容した緩衝パッド２０が外箱１０に収容されている。この構成により、図７（ｂ）に示すように、プロペラファン３２の羽根３２０４が反時計回りに回転移動すること、およびプロペラファン３２の羽根３２０３が時計回りに回転移動することが、第１底面側起立片Ｔ２１と天面側起立片Ｔ１１とによって妨げられることになる。また、図７（ｂ）に示すように、プロペラファン３２の羽根３２０３が反時計回りに回転移動することが、第２底面側起立片Ｔ２２によって妨げられることになる。よって、プロペラファン３２が位置固定されることになり、梱包されたプロペラファン３２の運搬時に、プロペラファン３２が外箱１０内を上下左右に移動（または回転）することが抑制される。
【００５７】
従来、業務用エアコン、室外機等に設けられるプロペラファンの梱包において、外箱にプロペラファンを入れ、外箱とファンとの隙間に緩衝材を多数挿入することによって行われる作業が手間であることを鑑み、例えば、特許文献１には、プロペラファンと外箱との間に１枚の段ボールで構成された緩衝材を挟むことによって、プロペラファンを運搬するときに、プロペラファンに与える衝撃を吸収させ、且つ梱包に掛かる手間の軽減を図ったものが記載されている。
【００５８】
しかしながら、特許文献１に記載の梱包材では、プロペラファンを梱包して運搬した場合に、外箱内においてプロペラファンが回転移動して、プロペラファンが緩衝材または外箱の内側壁によって擦れて傷が付くおそれがあった。
【００５９】
本実施形態によれば、外箱の天面側の内フラップに形成された天面側起立片と、緩衝パッドの底面に形成された底面側起立片とが、プロペラファンの回転移動を妨げるように配置構成されているので、外箱内においてプロペラファンが固定され、プロペラファンを有効に保護することが可能となる。
【００６０】
＜その他＞  
本発明は、上述した実施形態や、随所に述べた変形例に限られることなく、本発明の技術的思想から逸脱しない範囲で、適宜の変更や変形が可能である。
【００６１】
例えば、上記実施形態に係る外箱１０、緩衝パッド２０およびそれらのブランクシート１０Ｂ、２０Ｂの材質は、段ボール製であるが、これに限られず、プロペラファンを有効に保護するという効果を発揮できるものであれば、どのような素材を使用してもよく、例えば、プラスチック製のものであってもよい。
【００６２】
また、上記実施形態に係る梱包材では、３枚および４枚の羽根を有するプロペラファンを梱包するものであるが、本発明ではこれに限られず、３枚および４枚以外の羽根を有するプロペラファンも梱包することが可能である。また、本発明では、同じ羽根数のプロペラファンでもシャフト軸の形状が違うものも梱包可能である。
【符号の説明】
【００６３】
１  梱包材
１０  外箱
１０Ｂ  外箱のブランクシート
１１  第１面部
１２  第２面部
１３  第３面部
１４  第４面部
１５  継ぎ代
２０  緩衝パッド
３１  ４枚の羽根を有するプロペラファン
３２  ３枚の羽根を有するプロペラファン
２０Ｂ  緩衝パッドのブランクシート
２１  底面部（第２１面部）
２２  第１側面部（第２２面部）
２３  第２側面部（第２３面部）
２４  第３側面部（第２４面部）
２５  第４側面部（第２５面部）
２２１  第１内フラップ
２２２  第２内フラップ
２３１  第３内フラップ
２３２  第４内フラップ
３１１  第１外フラップ
３１２  第２外フラップ
３４１  第３外フラップ
３４２  第４外フラップ
Ｃ１  第１切れ込み線
Ｃ１１  第１１切れ込み線
Ｃ１２  第１２切れ込み線
Ｃ２１  第２１切れ込み線
Ｃ２２  第２２切れ込み線
Ｃ３１  第３１切れ込み線
Ｃ３２  第３２切れ込み線
Ｌ１  第１縁辺（第１折り曲げ線）
Ｌ２  第２縁辺（第２折り曲げ線）
Ｌ３  第３縁辺（第３折り曲げ線）
Ｌ４  第４縁辺（第４折り曲げ線）
Ｌ５  第５縁辺（第５折り曲げ線）
Ｌ６  第６縁辺（第６折り曲げ線）
Ｌ７  第７縁辺（第７折り曲げ線）
Ｌ８  第８縁辺（第８折り曲げ線）
Ｌ９  第９縁辺（第９折り曲げ線）
Ｌ１０  第１０縁辺（第１０折り曲げ線）
Ｌ１１  第１１縁辺（第１１折り曲げ線）
Ｌ１２  第１２縁辺（第１２折り曲げ線）
Ｌ１７  第１７縁辺（第１７折り曲げ線）
Ｌ２１  第２１縁辺（第２１折り曲げ線）
Ｌ２２  第２２縁辺（第２２折り曲げ線）
Ｌ２３  第２３縁辺（第２３折り曲げ線）
Ｌ３１  第３１縁辺（第３１折り曲げ線）
Ｌ３２  第３２縁辺（第３２折り曲げ線）
Ｌ３３  第３３縁辺（第３３折り曲げ線）
Ｌ３４  第３４縁辺（第３４折り曲げ線）
Ｔ１１  天面側起立片
Ｔ２１  第１底面側起立片
Ｔ２２  第２底面側起立片
Ｔ２３  第３底面側起立片
【図１】
2020033088.tif 000003
【図２】
2020033088.tif 000004
【図３】
2020033088.tif 000005
【図４】
2020033088.tif 000006
【図５】
2020033088.tif 000007
【図６】
2020033088.tif 000008
【図７】
2020033088.tif 000009